【事件の表示】
　特願２０１６−１９４６５７「電気機器及び入力方法」拒絶査定不服審判事件〔平成２９年　２月１６日出願公開、特開２０１７−　３７３２４、請求項の数（４）〕について、次のとおり審決する。
【結　論】
　原査定を取り消す。
　本願の発明は、特許すべきものとする。
【理　由】
第１　手続の経緯
　本願は、平成２４年４月１２日に出願した特願２０１２−９１３３２号の一部を平成２８年９月３０日に特願２０１６−１９４６５７号として出願したものであって、その手続の経緯は以下のとおりである。
　平成２９年７月１０日付け　　：拒絶理由通知書
　平成２９年９月１３日　　　　：手続補正書の提出
　平成２９年１１月１３日付け　：拒絶理由通知書
　平成３０年１月１２日　　　　：手続補正書の提出
　平成３０年２月２０日付け　　：拒絶査定
　平成３０年５月９日　　　　　：審判請求書の提出
　平成３０年１０月３１日付け　：拒絶理由通知書（当審）
　平成３１年１月８日　　　　　：手続補正書の提出
第２　原査定の概要 
　原査定（平成３０年２月２０日付け拒絶査定）の拒絶の理由の概要は次のとおりである。 
　この出願の各請求項に係る発明は、以下の引用文献１〜３に基づいて、当業者が容易に発明できたものであるから、特許法第２９条第２項の規定により特許を受けることができない。
１．特開２００５−３８４３５号公報
２．特開２００７−１８３７４０号公報
３．米国特許出願公開第２０１２／００３０６２２号明細書
第３　当審拒絶理由の概要
　平成３０年１０月３１日付けの当審拒絶理由の概要は、以下のとおりである。
　本件出願は、特許請求の範囲の記載が不備のため、特許法第３６条第６項第２号に規定する要件を満たしていない。 
 
第４　本願発明 
　本願請求項１〜４に係る発明（以下、それぞれ「本願発明１」〜「本願発明４」という。）は、平成３１年１月８日にされた手続補正により補正された特許請求の範囲の請求項１〜４に記載された事項により特定される発明であり、本願発明１〜４は以下のとおりの発明である。 
「【請求項１】
　パラメータが設定されている一の機能を有する電気機器において、
　前記パラメータの値の入力を受け付ける、異なる複数の受付画面を表示する表示部を備え、
　前記複数の受付画面は、
　閾値以上の間隔幅を有する複数のパラメータの値のうちの何れか一つが表示され、表示されているパラメータの値の入力を受け付ける大幅入力受付画面と、
　前記閾値より狭い間隔幅を有する複数のパラメータの値のうちの何れか一つが表示され、表示されているパラメータの値の入力を受け付ける小幅入力受付画面とを含み、
　使用者識別データを受け付ける受付手段を更に備え、
　受け付けた前記使用者識別データの認証ができた場合、前記表示部は前記小幅入力受付画面を表示し、
　受け付けた前記使用者識別データの認証ができなかった場合、前記表示部は前記大幅入力受付画面を表示することを特徴とする電気機器。  
　　【請求項２】
　前記大幅入力受付画面は、
　前記閾値以上の間隔幅を有する複数のパラメータの値から昇順又は降順に何れか一つ表示する指示を受け付ける指示受付手段を備え、
　該指示受付手段が受け付けた指示に応じて表示されるパラメータの値に基づき、パラメータの値の入力を受け付けるように構成されていることを特徴とする請求項１に記載の電気機器。
　　【請求項３】
　予め定められた間隔を有する複数のパラメータの値を記憶する記憶部を備えており、
　前記大幅入力受付画面は、
　ユーザの選択を受け付ける選択受付手段を、前記複数のパラメータの値の夫々に対応して備え、
　何れかの選択受付手段が選択された場合、
　選択された選択受付手段に対応するパラメータの値に基づき、前記パラメータを調整するように構成されていることを特徴とする請求項１又は２に記載の電気機器。
　　【請求項４】
　パラメータが設定されている一の機能を有する電気機器にてパラメータを入力する入力方法において、
　前記電気機器は、前記パラメータの値の入力を受け付ける、異なる複数の受付画面を表示する表示部を備え、
　前記複数の受付画面は、閾値以上の間隔幅を有する複数のパラメータの値のうち何れか一つが表示され、表示されているパラメータの値の入力を受け付ける大幅入力受付画面と、前記閾値より狭い間隔幅を有する複数のパラメータの値のうちの何れか一つが表示され、表示されているパラメータの値の入力を受け付ける小幅入力受付画面とを含んでおり、
　使用者識別データを受け付ける受付ステップと、
　受け付けた前記使用者識別データの認証ができた場合、前記表示部が前記小幅入力受付画面を表示するステップと、
　受け付けた前記使用者識別データの認証ができなかった場合、前記表示部が前記大幅入力受付画面を表示するステップと
　を含むことを特徴とする入力方法。」
第５　引用文献、引用発明等 
１　引用文献１について 
　上記引用文献１には、次の事項が記載されている。（下線は当審が付した。以下同じ。） 
（１）「【００７０】
  次に、第１の実施の形態と第８に異なる点は、
カラー複写機の操作部７４を用いて指定する画像編集機能として、単色カラー
が追加されている
（２）「【００７７】
　次に、領域８３内の単色カラー設定開始キーが押されると、
図１１（ｃ）の画面が、液晶表示部８４に表示されて、単色カラー設定が開始される。単色カラーとは、
原稿をコピーする場合に、フルカラーではなく、単色カラーで形成する機能であり
単色カラーで用いる色の指定は、図１１（ｃ）で、あらかじめ、
登録しておいた色を指定することにより行う
（３）【００８４】
  
単色カラーモードコピーを行う場合、画像処理部１１に入力されたＲＧＢ画像データ１０は、濃度情報生成部９５で白黒濃度データ（Ｄ）に変換される。ついで、この白黒濃度データ（Ｄ）と、ＣＰＵ１７がＣＰＵバス２２を介してレジスタ９６に設定した係数との乗算が９７で行われる。この係数は、色登録で登録された登録色のＭＣＹＫデータ（ｍ，ｃ，ｙ，ｋ）であり、このＭＣＹＫデータが係数として、各色成分画像形成時にレジスタ９６に書き込まれることにより、前述した、Ｍ＝ｍ×Ｄ／２５５、Ｃ＝ｃ×Ｄ／２５５、Ｙ＝ｙ×Ｄ／２５５、Ｋ＝ｋ×Ｄ／２５５の計算が行われる
生成された単色カラーデータを構成するＭＣＹＫデータ
（４）「【０１０６】
  
図１７は、本実施の形態としての複写機において、各個別設定を行う場合の、液晶表示部１１４の各表示を説明するための図である
【０１０７】
  次に、図１７（ｂ）の画面は、第２の実施の形態における図１０（ｃ）で色登録を行う場合に、選択した番号に既に色が登録されている場合に、以前に登録された色を消去してもいいか確認するために本実施の形態において表示される確認用画面である。ただし、本実施の形態の場合、このような確認用画面は初級のユーザにしか表示されない。初級のユーザは、操作の間違いも多いため、このような確認用画面で確認をとることは有効であるが、上級のユーザの場合は、画面の数が多くなり、いちいち確認を取ることは逆に操作性を悪くすることになる。よって、本実施の形態では、
ユーザが初級者か上級者かどうかもパーソナライズ情報に含ませている
【０１０８】
　次に、
図１７（ｃ）の画面は、本実施の形態において、単色カラーを設定する場合に、上級者向けに表示される画面である。初級者用には、第２の実施の形態における図１１（ｃ）と同じ画面が表示される。図１７（ｃ）は、図１１（ｃ）に比べて、調整キーが追加されている。この調整キーは登録されている色の値を調整することを指示するキーであり
初級のユーザの場合には、これを表示させない仕組みとなっている
【０１０９】
　
図１７（ｃ）で、調整キーが押されると、図１７（ｄ）の画面が表示され、登録されている色の調整が行えるようになる。調整では、まず、登録されている色を構成するＭＣＹＫが最小値０、最大値２５５で表示され、それを上下の矢印キーで各色成分ごとに増減できる仕組みとなっている
【０１１０】
　図１８は、本実施の形態としての複写機の制御フローを説明するためのフローチャートである。第１の実施の形態のフローチャートである図１と相違する点のみを説明する。図１と同様の処理を行なうステップについては、同じ符号を付してその説明は省略する。
【０１１１】
　まず、Ｓ５１では、ＩＤキーが押されたか判定し、押された場合には、Ｓ５２で、図１６の画面を表示し、
ユーザＩＤとパスワードを取得し
Ｓ５５でユーザＩＤとパスワードをパーソナライズサーバに送付する。次いでＳ５６では、パーソナライズサーバから初級者／上級者の区別を示すユーザレベル情報や、白黒コピーを許可されたユーザかどうかを示す特権ユーザ情報などを含むパーソナライズ情報を受信する
（５）引用文献１の図１８を参照すると、ユーザレベルを含むパーソナライズ情報をパーソナライズサーバから受信した後、
パーソナライズ情報を基に操作部の各設定をパーソナライズする処理を行う
　上記（１）〜（５）から、引用文献１には、以下の発明（以下、「引用発明１」という。）が記載されている。
「カラー複写機の操作部を用いて指定する画像編集機能として、単色カラーで原稿のコピーを形成する機能があり、
　単色カラーモードコピーを行う場合、画像処理部に入力されたＲＧＢ画像データが、濃度情報生成部で白黒濃度データ（Ｄ）に変換され、この白黒濃度データ（Ｄ）と、色登録で登録された登録色のＭＣＹＫデータ（ｍ，ｃ，ｙ，ｋ）で、Ｍ＝ｍ×Ｄ／２５５、Ｃ＝ｃ×Ｄ／２５５、Ｙ＝ｙ×Ｄ／２５５、Ｋ＝ｋ×Ｄ／２５５の計算を行うことで、単色カラーデータを構成するＭＣＹＫデータを生成するものであって、
　ユーザＩＤとパスワードを取得し、ユーザＩＤとパスワードをパーソナライズサーバに送付し、パーソナライズサーバから初級者／上級者の区別を示すユーザレベル情報や、白黒コピーを許可されたユーザかどうかを示す特権ユーザ情報などを含むパーソナライズ情報を受信し、
　パーソナライズ情報を基に、操作部の各設定をパーソナライズし、
　初級者向けの画面として、あらかじめ登録しておいた色を指定することにより単色カラーで用いる色を指定するための画面を液晶表示部に表示し、
　上級者向けの画面として、初級者向けの画面に比べて、登録されている色の値を調整することを指示する調整キーが追加された画面を液晶表示部に表示し、調整キーが押されると、登録されている色を構成するＭＣＹＫが最小値０、最大値２５５で表示され、それを上下の矢印キーで各色成分ごとに増減できる画面を液晶表示部に表示する、
　カラー複写機。」
２　引用文献２について 
　上記引用文献２には、次の事項が記載されている。
（１）「【０００１】
　本発明は、プリント処理する画像データに対するプリント条件を決定するためのパラメータを複数有し、前記複数のパラメータをグループ化したパラメータ群を管理するパラメータ管理部を備えた
写真プリント装置
（２）「【００４４】
〔プリントチャンネルの設定〕
　図５には、プリントチャンネルの設定項目表示画面５０が示されている。
この表示画面においては、入力メディア５１やプリント方式５２、プリント枚数５３、プリントサイズ５４、インデックスプリント５５、メディア出力５６などの多くの設定項目（パラメータ）が表示されており、オペレータはこれらの設定項目（パラメータ）を参照し、必要な場合は適切な入力値（パラメータ値）を入力してプリントチャンネルを決定する。すなわち、この表示画面は熟練度の高いオペレータに適したものとなっており
（３）「【００５０】
　このように、図６のプリントアイコン作成画面６０には、設定項目（パラメータ）として、抽出されたパラメータである入力メディア６１、プリント方式６２、プリント枚数６３、プリントサイズ６４が夫々表示される。オペレータは、これらの各設定項目（パラメータ）に対して値（パラメータ値）を入力していくことで、これらのパラメータ値に対応したプリントチャンネル表示パラメータ（包括パラメータ）の各値（包括パラメータ値）を設定することができる。そして、このプリントチャンネル表示パラメータの各値夫々に対応して、包括パラメータアイコン作成部７４Ａにおいてプリントアイコンが作成され、当該プリントアイコンがプリントアイコン作成表示部６５に表示される。すなわち、プ
リントサイズ、入力メディア、プリント枚数、プリント方式の各パラメータの異なる値に対して、一のプリントアイコンが作成されるのである
【００５１】
　
このようにして作成された各プリントアイコン（プリントチャンネル表示パラメータの各値に対応するアイコン）を図８に示す
オペレータはこれらのプリントアイコン６７Ａのうちの一つを選択するだけでプリントチャンネルを設定することができ
【００５２】
　上述したように、図５の表示画面は熟練度の高いオペレータ（上級者）用であり、
図８の表示画面は熟練度の低いオペレータ（初級者）用の表示画面である
　上記（１）〜（３）から、引用文献２には、以下の発明（以下、「引用発明２」という。）が記載されている。
「入力メディア、プリント方式、プリント枚数、プリントサイズ、インデックスプリント、メディア出力の設定項目が表示され、オペレータが設定項目を参照し、適切な入力値を入力してプリントチャンネルを決定する、熟練度の高いオペレータに適した表示画面と、
　プリントサイズ、入力メディア、プリント枚数、プリント方式の各パラメータの異なる値に対して、一のプリントアイコンが作成され、オペレータがプリントアイコンのうちの一つを選択するだけでプリントチャンネルを設定することができる、熟練度の低いオペレータ（初級者）用の表示画面と、
を有した、
写真プリント装置。」
３　引用文献３について 
　上記引用文献３には、次の事項が記載されている。（摘記箇所の後に当審訳文を付した。）
（１）「[0001] The present invention relates to 
a display apparatus
「[0001] 本発明は、画像およびメニューをディスプレイ上に表示する
表示装置
（２）「[0038] FIGS. 5-10 illustrate examples of 
display images
plural menus including a first menu 710, a second menu 720, a third menu 730 and a fourth menu 740
「図5-10はCPU610によって生成される
表示画像
第1のメニュー710a、第2のメニュー720、第3のメニュー730及び第4のメニュー740を含む複数のメニュー
（３）「[0044] In the case of FIG. 5, after menu button 510 was pressed and the first menu 710 showed up, an item 'Picture' was selected by pressing the down button 522 and the right button 523 or the enter button 530. Then, the second menu 720 showed up. The default item area 722 of the second menu 720 includes the items that are subcategory of the item 'Picture'. Then, an item 'Manual' was selected, and the third menu 730 showed up. In the third menu 730, an item 'Color' was selected, and the fourth menu 740 showed up. 
In the fourth menu 740, an item 'Color' and a color coarse gauge 750 were shown
[0045] When one of the following conditions is met, the display image changes into as shown in FIG. 6.
[0046] 
Condition 1: When the item 'Color' or the color coarse gauge 750 have been displayed on the display 200 more than a predetermined number of times in a predetermined period
[0047] 
Condition 2: When a parameter of the item 'Color', or the value of the color coarse gauge 750 have been modified more than a predetermined number of times while the item 'Color' and the color coarse gauge 750 have been displayed on the display 200
[0048] 
Condition 3: When the item 'Color' or the color coarse gauge 750 has been displayed on the display 200 for more than a predetermined period of time
[0049] 
As shown in FIGS. 5 to 6, when one of the above conditions is fulfilled, the number of items and the number of gauges increase in the fourth menu 740
[0050] In FIG. 6, the item 'Blue' is selected, and the user can change the value of the setting parameter 'Blue'. While the blue coarse gauges 753 and 763 are displayed on the display 200, 
a value of the blue coarse gauges 753 and 763 are changed with a larger step
[0051] When one of the following conditions is met, the display image changes into as shown in FIG. 7.
[0052] 
Condition 1: When the item 'Blue' and the blue coarse gauge 753 have been displayed on the display 200 more than a predetermined number of times in a predetermined period
[0053] 
Condition 2: When a parameter of the item 'Blue', or the value of the blue coarse gauges 753 and 763 has been modified more than a predetermined number of times while the item 'Blue' and the blue coarse gauges 753 and 763 have been displayed on the display 200
[0054] 
Condition 3: When the item 'Blue' or the blue coarse gauges 753 and 763 have been displayed on the display 200 for more than a predetermined period of time
[0055] 
As shown in FIGS. 6 to 7, when one of the above conditions is fulfilled, the blue coarse gauges 753 and 763 change into blue fine gauges 773 and 783. While the blue fine gauges 773 and 783 are shown on the display 200, the value of the item 'Blue' is changed with a smaller step than while the blue coarse gauges 753 and 763 are shown on the display 200
「[0044] 図5の場合には、メニューボタン510が押され、第1のメニュー710が現れた後、ダウンボタン522と右ボタン523または決定ボタン530を押下することにより、'Picture'の項目が選択される。そのとき、第2のメニュー720が現れる。第2のメニュー720のデフォルト項目領域722は、'Picture'のサブカテゴリの項目を含む。そして、'Manual'の項目が選択されると、第3のメニュー730が現れる。第3のメニュー730において、'Color'の項目を選択すると、第4のメニュー740が表示される。
第4メニュー740には、'Color'の項目および色の粗いゲージ750が表示される
[0045] 以下の条件の1つが満たされた場合には、図6に示すように表示画像が変化する。
[0046] 
条件１：'Color'の項目または色の粗いゲージ750が、所定期間内に所定回数以上ディスプレイ200に表示された場合
[0047] 
条件２：'Color'の項目および色の粗いゲージ750をディスプレイ200に表示しているときに、'Color'の項目のパラメータ、または色の粗いゲージ750の値を所定回数以上調整した場合
[0048] 
条件３：'Color'の項目および色の粗いゲージ750を所定時間以上ディスプレイ200に表示させた場合
[00049] 
図5から図6に示すように、上記条件の1つが満たされた場合には、第4のメニュー740にある項目およびゲージの数が増加する
[0050] 図6において、'Blue'の色が選択されると、ユーザは、設定パラメータ'Blue'の値を変化させることができる。青色の粗いゲージ753および763は、ディスプレイ200に表示され、
青色の粗いゲージ753及び763は大きな幅で変化する
[0051] 以下の条件の1つが満たされた場合には、図7に示すように表示画像に変化する。
[0052] 
条件１：'Blue'の項目と青色の粗いゲージ753が、所定期間内に所定回数以上のディスプレイ200に表示された場合
[0053] 
条件２：'Blue'の項目と青色の粗いゲージ753および763がディスプレイ200に表示されているときに、'Blue'の項目のパラメータまたは青色の粗いゲージ753および763の値が所定回数以上調整された場合
[0054] 
条件３：'Blue'の項目と青色の粗いゲージ753及び763が、所定時間以上ディスプレイ200上に表示された場合
[0055] 
図6から図7に示すように、上記条件の1つが満たされた場合には、青色の粗いゲージ753及び763は青色の細かいゲージ773および783に変わる。青色の細かいゲージ773および783がディスプレイ200に示されているとき、'Blue'の項目の値は、青色の粗いゲージ753および763がディスプレイ200に示されているときよりも小さな幅で変更される
　上記（１）〜（３）から、引用文献３には、以下の発明（以下、「引用発明３」という。）が記載されている。
「複数のメニューを有する表示画面の第4メニューには、'Color'の項目および色の粗いゲージが表示され、
　'Color'の項目または色の粗いゲージが、所定期間内に所定回数以上ディスプレイに表示された場合、'Color'の項目および色の粗いゲージをディスプレイに表示しているときに、'Color'の項目のパラメータ、または色の粗いゲージの値を所定の回数以上調整した場合、または、'Color'の項目および色の粗いゲージを所定時間以上ディスプレイ上に表示させた場合に、第4のメニューにある項目およびゲージの数が増加し、
　青色の粗いゲージは大きな幅で変化するものであって、
　'Blue'の項目と青色の粗いゲージが、所定期間内に所定回数以上のディスプレイに表示された場合、'Blue'の項目と青色の粗いゲージがディスプレイに表示されているときに、'Blue'の項目のパラメータまたは青色の粗いゲージの値が所定回数以上調整された場合、または、'Blue'の項目と青色の粗いゲージが、所定時間以上ディスプレイに表示された場合、青色の粗いゲージは青色の細かいゲージに変わり、
　青色の細かいゲージがディスプレイに示されているとき、'Blue'の項目の値は、青色の粗いゲージがディスプレイに示されているときよりも、小さな幅で変更される、
表示装置。」
第６　対比・判断
１　本願発明１について 
（１）　対比 
　本願発明１と引用発明１とを対比する。 
ア　引用発明１における、「単色カラーデータを構成するＭＣＹＫデータを生成」する際の「色登録で登録された登録色のＭＣＹＫデータ（ｍ，ｃ，ｙ，ｋ）」が設定されている、「単色カラーで原稿のコピーを形成する機能」は、本願発明１における「パラメータが設定されている一の機能」に相当する。
イ　本願発明１の「前記パラメータの値の入力を受け付ける、異なる複数の受付画面を表示する表示部」と、引用文献１の、「初級者向けの画面として」の「あらかじめ登録しておいた色を指定することにより単色カラーで用いる色を指定するための画面」、及び、「上級者向けの画面」にある「調整キーが押されると」表示される「登録されている色を構成するＭＣＹＫが最小値０、最大値２５５で表示され、それを上下の矢印キーで各色成分ごとに増減できる画面」、を表示する「液晶表示部」とは、「異なる複数の受付画面を表示する表示部」との概念で共通する。
ウ　本願発明１の「閾値以上の間隔幅を有する複数のパラメータの値のうちの何れか一つが表示され、表示されているパラメータの値の入力を受け付ける大幅入力受付画面」と、引用文献１の、「初級者向けの画面として」の「あらかじめ登録しておいた色を指定することにより単色カラーで用いる色を指定するための画面」とは、「一方の入力受付画面」との概念で共通する。
エ　引用発明１においては、「上級者向けの画面」にある「調整キーが押されると」表示される「画面」では、「登録されている色を構成するＭＣＹＫが最小値０、最大値２５５で表示され、それを上下の矢印キーで各色成分ごとに増減できる」ものとなっているから、「上級者向けの画面」にある「調整キーが押されると」表示される「画面」には、「登録されている色を構成するＭＣＹＫ」（登録色のＭＣＹＫデータ（ｍ，ｃ，ｙ，ｋ））それぞれについて、複数の値（最小値０、最大値２５５）のうちの何れか一つが表示されており、且つ、「上級者向けの画面」にある「調整キーが押されると」表示される「画面」は、表示されている値の入力を受け付けるものであることは自明である。
　してみると、本願発明１の「前記閾値より狭い間隔幅を有する複数のパラメータの値のうちの何れか一つが表示され、表示されているパラメータの値の入力を受け付ける小幅入力受付画面」と、引用発明１の、「上級者向けの画面」にある「調整キーが押されると」表示される、「登録されている色を構成するＭＣＹＫ」に関する複数の値のうちの何れか一つが表示され、表示されている値の入力を受け付ける「画面」とは、「複数のパラメータの値のうちの何れか一つが表示され、表示されているパラメータの値の入力を受け付ける他方の入力受付画面」との概念で共通する。
　
オ　引用発明１の「ユーザＩＤとパスワード」は、本願発明１の「使用者識別データ」に相当する。また、引用発明１においては、「ユーザＩＤとパスワードを取得し、ユーザＩＤとパスワードをパーソナライズサーバに送付」していることから、「ユーザＩＤとパスワード」を受け付ける手段を有していることは自明である。
　してみると、引用発明１における「ユーザＩＤとパスワード」を受け付ける手段は、本願発明１の、「使用者識別データを受け付ける受付手段」に相当する。
カ　本願発明１の、「受け付けた前記使用者識別データの認証ができた場合、前記表示部は前記小幅入力受付画面を表示し、受け付けた前記使用者識別データの認証ができなかった場合、前記表示部は前記大幅入力受付画面を表示する」ことと、引用発明１の、「初級者／上級者の区別を示すユーザレベル情報」を含む「パーソナライズ情報を基に、操作部の各設定をパーソナライズし」、「液晶表示部」が、「初級者向けの画面として、あらかじめ登録しておいた色を指定することにより単色カラーで用いる色を指定するための画面を」「表示し」、あるいは、「上級者向けの画面」にある「調整キーが押されると、登録されている色を構成するＭＣＹＫが最小値０、最大値２５５で表示され、それを上下の矢印キーで各色成分ごとに増減できる画面」を「表示する」こととは、「前記表示部は、使用者識別データの認証結果に基づいて、前記一方の入力受付画面または前記他方の入力受付画面の何れかを表示する」点で共通する。
キ　引用発明１の「カラー複写機」は、本願発明１の「電気機器」に相当する。
　したがって、本願発明１と引用発明１との間には、次の一致点、相違点がある。 
（一致点）
「パラメータが設定されている一の機能を有する電気機器において、
異なる複数の受付画面を表示する表示部を備え、
前記複数の受付画面は、
一方の入力受付画面と、
複数のパラメータの値のうちの何れか一つが表示され、表示されているパラメータの値の入力を受け付ける他方の入力受付画面とを含み、
使用者識別データを受け付ける受付手段を更に備え、
前記表示部は、使用者識別データの認証結果に基づいて、前記一方の入力受付画面または前記他方の入力受付画面の何れかを表示する、
電気機器。」
（相違点１）
　「異なる複数の受付画面を表示する表示部を備え」る点について、
　本願発明１においては、「前記パラメータの値の入力を受け付ける、異なる複数の受付画面を表示する表示部を備え」るものであるのに対し、
　引用発明１においては、「上級者向けの画面」にある「調整キーが押されると」表示される「画面」は、「登録されている色を構成するＭＣＹＫが最小値０、最大値２５５で表示され、それを上下の矢印キーで各色成分ごとに増減できる」ことから、ＭＣＹＫに関する値、すなわちパラメータの値の入力を受け付けるものであるといえるものの、「初級者向けの画面」は「あらかじめ登録しておいた色を指定することにより単色カラーで用いる色を指定する」ものであって、パラメータの値の入力を受け付けるものではない点。
（相違点２）
　「一方の入力受付画面」について、
　本願発明１は「閾値以上の間隔幅を有する複数のパラメータの値のうちの何れか一つが表示され、表示されているパラメータの値の入力を受け付ける大幅入力受付画面」であるのに対し、
　引用発明１の 「初級者向けの画面」は、そのようなものではない点。
（相違点３）
　「複数のパラメータの値のうちの何れか一つが表示され、表示されているパラメータの値の入力を受け付ける他方の入力受付画面」について、
　本願発明１は、「前記閾値より狭い間隔幅を有する」複数のパラメータの値のうちの何れか一つが表示され、表示されているパラメータの値の入力を受け付ける「小幅」入力受付画面であるのに対し、
　引用発明１においては、「上級者向けの画面」にある「調整キーが押されると」表示される「画面」に表示される「ＭＣＹＫ」は、閾値より狭い間隔幅を有する複数の値のうちの何れか一つであるのか明らかでなく、当該「調整キーが押されると」表示される「画面」は「小幅」入力受付画面であるのか明らかでない点。
（相違点４）
　「前記表示部は、使用者識別データの認証結果に基づいて、前記一方の入力受付画面または前記他方の入力受付画面の何れかを表示する」点について、
　本願発明１は、「受け付けた前記使用者識別データの認証ができた場合、前記表示部は前記小幅入力受付画面を表示し、受け付けた前記使用者識別データの認証ができなかった場合、前記表示部は前記大幅入力受付画面を表示する」ものであるのに対し、
　引用発明１はそのようなものではない点。
（２）相違点についての判断
　事案に鑑み上記相違点４について検討すると、引用発明２〜３のいずれも、「受け付けた前記使用者識別データの認証ができた場合、前記表示部は前記小幅入力受付画面を表示し、受け付けた前記使用者識別データの認証ができなかった場合、前記表示部は前記大幅入力受付画面を表示する」点を有していないことは明らかである。
　また、上記相違点４に係る本願発明１の発明特定事項が、当業者にとって設計事項であるとする根拠もない。
　したがって、他の相違点について検討するまでもなく、本願発明１は、引用発明１ないし３に基づいて、当業者が容易に発明をすることができたものとはいえない。
２　本願発明２〜４について 
　本願発明２及び３は本願発明１を減縮した発明であるから、本願発明１と同様の理由により、当業者であっても、引用発明１ないし３に基づいて、当業者が容易に発明をすることができたものとはいえない。
　本願発明４は本願発明１に対応する方法の発明であるから、本願発明１と同様の理由により、当業者であっても、引用発明１ないし３に基づいて、当業者が容易に発明をすることができたものとはいえない。
第７　原査定について 
　原査定の拒絶の理由の概要は上記「第２」のとおりであるが、上記「第５」〜「第６」のとおりであるから、本願発明１〜４は、引用発明１ないし３に基づいて、当業者が容易に発明をすることができたものとはいえない。 
　したがって、原査定の理由を維持することはできない。 
第８　当審拒絶理由通知について
　平成３０年１０月３１日付けの当審拒絶理由通知では、本件出願は、特許請求の範囲の記載が不備のため、特許法第３６条第６項第１号に規定する要件を満たしていない、との拒絶の理由を通知している。
　しかしながら、平成３１年１月８日付けの手続補正で、請求項１〜４は上記「第４」のとおり補正されており、上記拒絶の理由は解消した。　
第９　むすび 
　以上のとおり、原査定の理由によっては、本願を拒絶することはできない。 
　また、他に本願を拒絶すべき理由を発見しない。 
　よって、結論のとおり審決する。